(57)【要約】      （修正有）【課題】多種な通信プロトコルを有する通信システムを提供する。【解決手段】通信システム８は、第１の統合通信装置ＭＣ１及び第２の統合通信装置ＭＣ２を含む複数の通信プロトコルを備える。第１の統合通信装置ＭＣ１は、統合通信モジュールを通じて複数の通信信号を第２の統合通信装置ＭＣ２に送信し、第１の統合通信装置ＭＣ１は、少なくとも１つの統合通信モジュールＩＣ１〜ＩＣ４を通じて第２の統合通信装置ＭＣ２が発信した複数の通信信号を受信する。第１の統合通信装置ＭＣ１における第１種の通信ユニットＩＣ１−１〜ＩＣ４−１は、互いに連接される。【選択図】図１
0003221236.tif 000002
【実用新案登録請求の範囲】
【請求項１】
第１の統合通信装置及び第２の統合通信装置を含む、複数の通信プロトコルを備える通信システムであって、
前記第１の統合通信装置に、第１の中継通信回路と複数の統合通信モジュールが配置され、前記第２の統合通信装置に第２の中継通信回路及び複数の統合通信モジュールが配置され、
前記第１の統合通信装置における前記複数の統合通信モジュールは、それぞれ第１種の通信ユニット及び第２種の通信ユニットを含み、
前記統合通信モジュール毎の前記第１種の通信ユニットは、前記統合通信モジュール毎の前記第２種の通信ユニットに通信可能に接続され、
前記第１の統合通信装置における前記複数の統合通信モジュールは、それぞれ自身の前記第１種の通信ユニットを通じて前記第１の中継通信回路に電気的に接続され、前記第１の統合通信装置における前記複数の統合通信モジュールはそれぞれ、前記第１の中継通信回路を通じて通信可能に接続を行い、
前記第１の統合通信装置の前記複数の統合通信モジュールにおける前記複数の第２種の通信ユニットはそれぞれ、１種類の通信プロトコルを含み、
前記第２の統合通信装置における前記複数の統合通信モジュールは、それぞれ第１種の通信ユニット及び第２種の通信ユニットを含み、前記統合通信モジュール毎の前記第１種の通信ユニットは、前記統合通信モジュール毎の前記第２種の通信ユニットに通信可能に接続され、前記第２の統合通信装置における前記複数の統合通信モジュールは、それぞれ自身の前記第１種の通信ユニットを通じて、前記第２の中継通信回路に電気的に接続され、
前記第２の統合通信装置における前記複数の統合通信モジュールは、それぞれ前記第２の中継通信回路を通じて通信可能に接続され、
前記第２の統合通信装置の前記複数の統合通信モジュールにおける前記複数の第２種の通信ユニットはそれぞれ、１種類の通信プロトコルを含み、
前記第１の統合通信装置と前記第２の統合通信装置は、それぞれ自身の前記複数の統合通信モジュールの前記複数の第２種の通信ユニットにおける前記複数の通信プロトコルのうちの１つにより、通信可能に接続を行う、ことを特徴とする通信システム。
【請求項２】
前記第１の統合通信装置及び前記第２の統合通信装置のそれぞれにおける前記複数の統合通信モジュールは、それぞれコーディングテーブルを含み、前記第１の統合通信装置及び前記第２の統合通信装置のそれぞれにおける前記複数の統合通信モジュールは、それぞれ自身のコーディングテーブルに基づいて、それぞれ自身の前記第１種の通信ユニット及び前記第２種の通信ユニットが受送信するデータをコーディングとデコーディングする、ことを特徴とする、請求項１に記載する通信システム。
【請求項３】
前記第１の統合通信装置における前記複数の統合通信モジュールの中の２つはそれぞれ、複数の通信信号を前記第２の統合通信装置に送信するための上りチャネルと、前記第２の統合通信装置が送信する複数の通信信号を受信するための下りチャネルとして使用される、ことを特徴とする、請求項２に記載する通信システム。
【請求項４】
前記第１の統合通信装置は、エッジ第１種の通信ユニットとエッジ演算部とを備える、エッジ演算モジュールをさらに含み、
前記エッジ第１種の通信ユニットは、前記第１の統合通信装置の前記複数の統合通信モジュールにおける前記第１種の通信ユニットに通信可能に接続され、所定のエッジ信号を受信するために用いられ、
前記エッジ演算部は、前記エッジ第１種の通信ユニットが受信する前記所定のエッジ信号を受信し、前記所定のエッジ信号に対して計算を行い、エッジ応答信号を生成し、前記エッジ応答信号は、前記エッジ第１種の通信ユニットを介して伝送され、前記エッジ第１種の通信ユニットは、前記エッジ演算部に通信可能に接続される、ことを特徴とする、請求項１に記載する通信システム。
【請求項５】
第１の通信モジュール、第２の通信モジュール、及び第３の通信モジュールを備える、統合通信装置であって、
前記第１の通信モジュールは、第１のブルートゥース通信部及び第１のＬｏＲａ通信ユニットを含み、前記第１のブルートゥース通信部は、前記第１のＬｏＲａ通信ユニットに通信可能に接続され、
前記第２の通信モジュールは、第２のブルートゥース通信部及び第２のＬｏＲａ通信ユニットを含み、前記第２のブルートゥース通信部は、前記第２のＬｏＲａ通信ユニットに通信可能に接続され、
前記第３の通信モジュールは、第３のブルートゥース通信部及び第３のＬｏＲａ通信ユニットを含み、前記第３のブルートゥース通信部は、前記第３のＬｏＲａ通信ユニットに通信可能に接続され、
第１の統合通信装置は、前記第１の通信モジュールにおける前記第１のブルートゥース通信部及び前記第１のＬｏＲａ通信ユニットを通じて、複数の第１のＬｏＲａ通信信号を第２の統合通信装置に送信し、前記第１の統合通信装置は、前記第２の通信モジュールにおける前記第２のブルートゥース通信部及び前記第２のＬｏＲａ通信ユニットと、前記第３の通信モジュールにおける前記第３のブルートゥース通信部及び前記第３のＬｏＲａ通信ユニットとを通じて前記第２の統合通信装置が発信する複数の第２のＬｏＲａ通信信号を受信し、
前記第１のブルートゥース通信部は、前記第２のブルートゥース通信部及び前記第３のブルートゥース通信部に通信可能に接続される、ことを特徴とする、統合通信装置。
【請求項６】
第７のＬｏＲａ通信ユニット及び第７のブルートゥース通信部を含む第７の通信モジュール、をさらに含む統合通信装置であって、前記第７のブルートゥース通信部は、前記第１のブルートゥース通信部、前記第２のブルートゥース通信部、前記第３のブルートゥース通信部、及びエッジブルートゥース通信部に電気的に接続され、前記第７のブルートゥース通信部は、前記第７のＬｏＲａ通信ユニットに通信可能に接続され、
前記第７のＬｏＲａ通信ユニットは、第１のＬｏＲａ通信ユニットと共に前記複数の第１のＬｏＲａ通信信号を前記第２の統合通信装置に送信する、ことを特徴とする、請求項５に記載する統合通信装置。
【請求項７】
ブルートゥース通信部、Ｗｉ−Ｆｉ通信モジュール、ＩｏＴ通信モジュール、及びエッジ演算部をさらに含む、統合通信装置であって、
前記Ｗｉ−Ｆｉ通信モジュールは、Ｗｉ−Ｆｉ通信ユニット及びＷｉ−Ｆｉブルートゥース通信部を含み、
前記ＩｏＴ通信モジュールは、ＩｏＴ通信ユニット、ＩｏＴブルートゥース通信部、及びエッジブルートゥース通信部を含み、前記エッジブルートゥース通信部は、前記第１のブルートゥース通信部、第２のブルートゥース通信部、及び第３のブルートゥース通信部に通信可能に接続され、所定のエッジ信号を受信するために用いられ、
前記エッジ演算部は、前記エッジブルートゥース通信部が受信する前記所定のエッジ信号を受信し、前記所定のエッジ信号に対して計算を行うことにより、エッジ応答信号を生成し、前記エッジ応答信号は、前記エッジブルートゥース通信部を通じて伝送され、前記エッジブルートゥース通信部は、前記エッジ演算部に通信可能に接続され、
前記Ｗｉ−Ｆｉブルートゥース通信部は、前記第１のブルートゥース通信部、前記第２のブルートゥース通信部、前記第３のブルートゥース通信部、前記第７のブルートゥース通信部、及び前記エッジブルートゥース通信部に通信可能に接続され、
前記Ｗｉ−Ｆｉ通信モジュールにおける前記Ｗｉ−Ｆｉ通信ユニットは大量なデータを伝送するために用いられ、
前記ＩｏＴブルートゥース通信部は、前記第１のブルートゥース通信部、前記第２のブルートゥース通信部、前記第３のブルートゥース通信部、前記第７のブルートゥース通信部、前記エッジブルートゥース通信部、及び前記Ｗｉ−Ｆｉブルートゥース通信部に通信可能に接続され、
前記ＩｏＴ通信ユニットは、ＩｏＴ制御信号を受送信するために用いられる、ことを特徴とする、請求項６に記載する統合通信装置。
【考案の詳細な説明】
【技術分野】
【０００１】
本考案は、通信システム及び通信装置に関し、特に複数の通信プロトコルを統合する統合通信システム及び統合通信装置に関する。
【背景技術】
【０００２】
現在の生活では、複数の重通信プロトコルが同時に使われているが、異なる通信プロトコルの間にデータを互いに伝送し得ないことでは、ユーザーにとって不便なことである。また、様々な伝送ニーズに対して、単一の通信プロトコルは、ユーザーはより良い使用経験を得られない。
【０００３】
そのため、複数の通信プロトコルを統合する通信システムを提供することは、業界で重要な課題になる。
【考案の概要】
【考案が解決しようとする課題】
【０００４】
本考案が解決しようとする技術的な課題では、既存技術の不足に対して、本考案は、多種な通信プロトコルを有する通信システムを提供する。
【課題を解決するための手段】
【０００５】
上記の技術課題を解決するために、本考案が採用する技術手段の１つとしては、下記多種な通信プロトコルを有する通信システムを提供する。それは、第１の統合通信装置及び第２の統合通信装置を含む。第１の統合通信装置は、第１の統合通信装置に配置される第１の中継通信回路と、第１の統合通信装置に配置される複数の統合通信モジュールを含む。第１の統合通信装置における複数の統合通信モジュールはそれぞれ、第１種の通信ユニット及び第２種の通信ユニットを含む。統合通信モジュール毎の第１種の通信ユニットは、統合通信モジュール毎の第２種の通信ユニットに通信可能に接続される。第１の統合通信装置の複数の統合通信モジュールは、それぞれ自身の第１種の通信ユニットにより第１の中継通信回路に電気的に接続される。第１の統合通信装置の複数の統合通信モジュールのそれぞれは、第１の中継通信回路を介して通信可能に接続される。第１の統合通信装置における複数の統合通信モジュールの複数の第２種の通信ユニットは、それぞれ１種類の通信モジュールを含む。第２の統合通信装置は、第２の統合通信装置に配置される第２の中継通信回路と、第２の統合通信装置に配置される複数の統合通信モジュールとを含む。第２の統合通信装置における複数の統合通信モジュールのそれぞれは、第１種の通信ユニット及び第２種の通信ユニットを含む。統合通信モジュール毎の第１種の通信ユニットは、統合通信モジュール毎の第２種の通信ユニットに通信可能に接続される。第２の統合通信装置の複数の統合通信モジュールは、それぞれ自身の第１種の通信ユニットを介して第２の中継通信回路に電気的に接続される。第２の統合通信装置における複数の統合通信モジュールは、それぞれ第２の中継通信回路を介して通信可能に接続される。第２の統合通信装置における複数の統合通信モジュールの複数の第２種の通信ユニットは、それぞれ１種類の通信プロトコルを含む。なかでも、第１の統合通信装置及び第２の統合通信装置は、それぞれ自身の複数の統合通信モジュールにおける複数の第２種の通信ユニットの多種の通信プロトコルのいずれか１つにより通信可能な接続を行う。
【０００６】
また、本考案が提供する統合通信装置は、第１の通信モジュール、第２の通信モジュール及び第３の通信モジュールを含む。第１の通信モジュールは、第１のブルートゥース通信部及び第１のＬｏＲａ通信ユニットを含む。前記第１のブルートゥース通信部は、前記第１のＬｏＲａ通信ユニットと通信可能に接続される。第２の通信モジュールは、第２のブルートゥース通信部及び第２のＬｏＲａ通信ユニットを含む。第２のブルートゥース通信部は、第２のＬｏＲａ通信ユニットと通信可能に接続される。第３の通信モジュールは、第３のブルートゥース通信部及び第３のＬｏＲａ通信ユニットを含む。第３のブルートゥース通信部は、第３のＬｏＲａ通信ユニットと通信可能に接続される。なかでも、第１の統合通信装置は、第１の通信モジュールの第１のブルートゥース通信部と、第１のＬｏＲａ通信ユニットとを通じて複数の第１のＬｏＲａ通信信号を第２の統合通信装置に送信する。第１の統合通信装置は、第２の通信モジュールにおける第２のブルートゥース通信部及び第２のＬｏＲａ通信ユニットと、第３の通信モジュールにおける第３のブルートゥース通信部及び第３のＬｏＲａ通信ユニットとを通じて第２の統合通信装置から送信された複数の第２のＬｏＲａ通信信号を受信する。なかでも、第１のブルートゥース通信部は、第２のブルートゥース通信部及び第３のブルートゥース通信部に通信可能に接続される。
【考案の効果】
【０００７】
本考案による有益な効果の１つとしては、本考案による複数の通信プロトコルを備える通信システムは、同じ装置内に多種の通信プロトコルを有する通信ユニットに統合し、同じ第１種の通信ユニットを利用して互いに通信を行うことができ、かつ、複数の専用下りチャネルデータをすばやくダウンロードし、専用上りチャネルを利用してデータをアップロードすることにより、伝送効率を大幅に向上させることができる。異なるプロトコル間で制御コマンドを効果的に処理するために、複数のコーディングテーブルが使用され、データ伝送量を減らすことができる。さらに、本考案は、異なる統合通信モジュールの第１種の通信ユニット間の通信接続により、処理効率を改善するように、異なるタイプの信号が適切な通信方法によって処理されることを可能にすることができる。
【図面の簡単な説明】
【０００８】
【図１】本考案の実施形態に係る複数の通信プロトコルを備える通信システムを示す模式図である。
【図２】本考案の実施形態に係る統合通信モジュール及び中継通信回路を示す模式図である。
【図３】本考案の実施形態に係る統合通信システムが長距離通信システムに適用される模式図である。
【図４】図３における第１の統合通信装置を示す模式図である。
【図５】図３における第１の統合通信装置を示す他の模式図である。
【考案を実施するための形態】
【０００９】
本考案の特徴及び技術内容がより一層分かるように、以下本考案に関する詳細な説明と添付図面を参照する。しかし、提供される添付図面は参考と説明のために提供するものに過ぎず、本考案の特許請求の範囲を制限するためのものではない。
【００１０】
下記より、具体的な実施例で本考案が開示する「複数の通信プロトコルを備える通信システム及び統合通信装置」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１１】
［第１の実施形態］
図１を参照する。図１は、本考案の実施形態に係る複数の通信プロトコルを備える通信システムを示す模式図である。
【００１２】
本実施形態において、複数の通信プロトコルを備える通信システム８は、第１の統合通信装置ＭＣ１及び第２の統合通信装置ＭＣ２を含む。本実施形態において、第１の統合通信装置ＭＣ１及び第２の統合通信装置ＭＣ２は、それぞれ第１の領域８−Ａ及び第２の領域８−Ｂに配置される。第１の領域８−Ａと第２の領域８−Ｂとの間には距離が規定されている。
【００１３】
第１の統合通信装置ＭＣ１は、第１の中継通信回路ＭＩＤ１及び複数の統合通信モジュールを含む。本実施形態において、第１の統合通信装置ＭＣ１は、４つの統合通信モジュールを含み、４つの統合通信モジュールはそれぞれ、第１の統合通信モジュールＩＣ１、第２の統合通信モジュールＩＣ２、第３の統合通信モジュールＩＣ３、及び第４の統合通信モジュールＩＣ４である。
【００１４】
第２の統合通信装置ＭＣ２は、第２の中継通信回路ＭＩＤ２及び複数の統合通信モジュールを含む。本実施形態において、第２の統合通信装置ＭＣ２は、４つの統合通信モジュールを含み、４つの統合通信モジュールはそれぞれ、第５の統合通信モジュールＩＣ５、第６の統合通信モジュールＩＣ６、第７の統合通信モジュールＩＣ７、及び第８の統合通信モジュールＩＣ８である。
【００１５】
第１の中継通信回路ＭＩＤ１は、第１の統合通信装置ＭＣ１に配置される。第２の中継通信回路ＭＩＤ２は、第２の統合通信装置ＭＣ２に配置される。本実施形態において、第１の中継通信回路ＭＩＤ１及び第２の中継通信回路ＭＩＤ２は、集積回路バス（Ｉｎｔｅｒ−Ｉｎｔｅｇｒａｔｅｄ  Ｃｉｒｃｕｉｔ，Ｉ２Ｃ）である。
【００１６】
第１の統合通信装置ＭＣ１における複数の統合通信モジュールＩＣ１−ＩＣ４は、第１の統合通信装置ＭＣ１に配置される。第２の統合通信装置ＭＣ１における複数の統合通信モジュールＩＣ１−ＩＣ４は、第１の統合通信装置ＭＣ１に配置される。
【００１７】
本実施形態において、第１の統合通信装置ＭＣ１における複数の統合通信モジュールＩＣ１−ＩＣ４と、第２の統合通信装置ＭＣ１における複数の統合通信モジュールＩＣ５−ＩＣ８とは、それぞれ第１種の通信ユニットＩＣ１−１〜ＩＣ８−１及び第２種の通信ユニットＩＣ１−２〜ＩＣ８−２を含む。
【００１８】
本実施形態において、第１種の通信ユニットＩＣ１−１〜ＩＣ８−１は、それぞれ第２種の通信ユニットＩＣ１−２〜ＩＣ８−２と通信可能に接続される。
【００１９】
第１の統合通信装置ＭＣ１における複数の統合通信モジュールＩＣ１−ＩＣ４は、それぞれ自身の第１種の通信ユニットＩＣ１−１〜ＩＣ４−１を介して第１の中継通信回路ＭＩＤ１と電気的に接続される。第１の統合通信装置ＭＣ１における複数の統合通信モジュールＩＣ１−ＩＣ４はそれぞれ第１の中継通信回路ＭＩＤ１を通じて通信可能に接続される。
【００２０】
第１の統合通信装置ＭＣ１の複数の統合通信モジュールＩＣ１−ＩＣ４における複数の第２種の通信ユニットＩＣ１−２〜ＩＣ４−２は、それぞれ１種類の通信プロトコルを含む。即ち、第２種の通信ユニットＩＣ１−２〜ＩＣ４−２は、それぞれＬｏＲａ通信ユニット、Ｓｉｇｆｏｘ通信ユニット、Ｗｉ−Ｆｉ通信ユニット、及びＩｏＴ通信ユニットであり得る。第１の統合通信装置ＭＣ１の複数の統合通信モジュールＩＣ１−ＩＣ４における複数の第２種の通信ユニットＩＣ１−２〜ＩＣ４−２は、同じプロトコルを有する通信ユニットでも異なるプロトコルを有する通信ユニットでもよい。
【００２１】
第２の統合通信装置ＭＣ２の複数の統合通信モジュールＩＣ５−ＩＣ６は、それぞれ自身の第１種の通信ユニットＩＣ５−１〜ＩＣ８−１を通じて第２の中継通信回路ＭＩＤ２に電気的に接続される。第２の統合通信装置ＭＣ２における複数の統合通信モジュールＩＣ５−ＩＣ８は、それぞれ第２の中継通信回路ＭＩＤ２を通じて通信可能に接続される。
【００２２】
第２の統合通信装置ＭＣ２の複数の統合通信モジュールＩＣ５−ＩＣ８における複数の第２種の通信ユニットＩＣ５−２〜ＩＣ８−２は、それぞれ１種類のプロトコルを含む。つまり、第２種の通信ユニットＩＣ５−２〜ＩＣ８−２は、それぞれＬｏＲａ通信ユニット、Ｓｉｇｆｏｘ通信ユニット、Ｗｉ−Ｆｉ通信ユニット、及びＩｏＴ通信ユニットであってもよい。言い換えれば、第２の統合通信装置ＭＣ２の複数の統合通信モジュールＩＣ５−ＩＣ８における複数の第２種の通信ユニットＩＣ５−２〜ＩＣ８−２は、同じプロトコルを有する通信ユニットでも異なるプロトコルを有する通信ユニットでもよい。
【００２３】
第１の統合通信装置ＭＣ１と第２の統合通信装置ＭＣ２とは、それぞれの複数の統合通信モジュールＩＣ１−ＩＣ４及び複数の統合通信モジュールＩＣ５−ＩＣ８を介して、複数の第２種の通信ユニットＩＣ１−１〜ＩＣ８−１における多種な通信プロトコルの中の１つと通信可能に接続される。
【００２４】
即ち、第１の統合通信装置ＭＣ１と第２の統合通信装置ＭＣ２とは、同一な通信プロトコルを有する第２種の通信ユニットを通じて通信可能に接続される。
【００２５】
第１の統合通信装置ＭＣ１と第２の統合通信装置ＭＣ２とのそれぞれにおける複数の統合通信モジュールＩＣ１−ＩＣ８は、それぞれコーディングテーブルを含む。
【００２６】
第１の統合通信装置ＭＣ１と第２の統合通信装置ＭＣ２とのそれぞれにおける複数の統合通信モジュールＩＣ１−ＩＣ８は、それぞれ自身のコーディングテーブルに基づいて、それぞれ自身の第１種の通信ユニットＩＣ１−１〜ＩＣ８−１及び第２種の通信ユニットＩＣ１−２〜ＩＣ８−２の受信信号または送信信号を符号化および復号する。
【００２７】
本実施形態において、第１種の通信ユニットＩＣ１−１〜ＩＣ８−１は、ブルートゥース通信部、Ｗｉ−Ｆｉ通信ユニット、及びＺｉｇｂｅｅ通信ユニットを含む。例を挙げれば、第１種の通信ユニットＩＣ１−１〜ＩＣ８−１がブルートゥース通信部であれば、統合通信モジュールＩＣ１−ＩＣ８は、ブルートゥースを備える通信プロトコルを第２種の通信ユニットの通信プロトコルに変換するためのコーディングテーブルを含む必要がある。
【００２８】
例えば、第２種の通信ユニットは、ＬｏＲａ通信ユニットであれば、統合通信モジュールは、ブルートゥース（登録商標）を備える通信プロトコルをＬｏＲａ通信プロトコルに変換するためのコーディングテーブルを含む必要がある。
【００２９】
このコーディングテーブルは、ブルートゥース伝送プロトコル及びＬｏＲａ通信プロトコルの命令集である。言い換えれば、コーディングテーブルは、複雑なブルートゥース伝送プロトコルにおける命令集とデータの同じ内容とを統合し、新しい命令集を再コンパイルする。この命令セットのデータ転送量は、ブルートゥース伝送プロトコルのデータ転送量よりはるかに少なくなる。さらに、送信データが大量に圧縮されているため、ＬｏＲａ通信ユニットは、より少ないデータ量を伝送するが、それでもなお同じデータコンテンツを送信または受信する。
【００３０】
同様に、他のプロトコル間のコーディングテーブルも上記のようにして作成される。
【００３１】
本実施形態において、第１の統合通信装置ＭＣ１と第２の統合通信装置ＭＣ２と互いに通信可能に接続するための通信ユニットは、少なくとも１つの上りチャネル及び下りチャネルを含む。他の実施形態では、第１の統合通信装置ＭＣ１と第２の統合通信装置ＭＣ２とは、データダウンロード効率を速めるために、２つ以上の下りチャネルを含んでもよい。他の実施形態では、第１の統合通信装置ＭＣ１と第２の統合通信装置ＭＣ２とは、数量が同じの複数の下りチャネル及び複数の上りチャネルを含んでもよい。例えば、３つの上りチャネル及び３つの下りチャネルを含んでもよい。
【００３２】
本実施形態において、第１の統合通信装置ＭＣ１における複数の統合通信モジュールＩＣ１−ＩＣ４の中の１つは、複数の通信信号を第２の統合通信装置ＭＣ２に送信するための上りチャネルとして使用されるだけである。第１の統合通信装置ＭＣ１における複数の統合通信モジュールＩＣ１−ＩＣ４の中の他方の１つは、第２の統合通信装置ＭＣ２が送信する複数の通信信号を受信するための下りチャネルとして使用されるだけである。本実施形態において、第１の統合通信モジュールＩＣ１及び第４の統合通信モジュールＩＣ４は、上りチャネルとして用いられる。第２の統合通信モジュールＩＣ２及び第３の統合通信モジュールＩＣ３は、下りチャネルとして用いられる。
【００３３】
第２の統合通信装置ＭＣ２は、第１の統合通信装置ＭＣ１と同じチャネルを配置することができ、それは実際の要件に基づいて調整することができ、本開示では限定されない。
本実施形態において、第１の統合通信装置ＭＣ１はさらにエッジ演算モジュールＥＤ１を含む。エッジ演算モジュールＥＤ１は、ローカルに配置されるインスタントコンピューティングモジュールである。即ち、エッジ演算モジュールＥＤ１は、リアルタイムで操作する必要がある命令を受信して、長距離通信や長時間通信でクラウドサーバーやリモートサーバに送信されずに、ローカルでリアルタイム処理するものである。
【００３４】
本実施形態において、エッジ演算モジュールＥＤ１は、エッジ第１種の通信ユニットＥＤ１−１、及びエッジ演算部ＥＤ１−２を含む。
【００３５】
本実施形態において、エッジ第１種の通信ユニットＥＤ１−１は、所定のエッジ信号を受信するために、前記第１の統合通信装置の複数の統合通信モジュールＩＣ１−ＩＣ４における第１種の通信ユニットＩＣ１−１〜ＩＣ４−１と通信可能に接続される。更に、エッジ第１種の通信ユニットＥＤ１−１は、第１の中継通信回路ＭＩＤ１を介して、第１の統合通信装置ＭＣ１の複数の統合通信モジュールＩＣ１−ＩＣ４における第１種の通信ユニットＩＣ１−１〜ＩＣ４−１と電気的に接続されてもよい。本実施形態において、エッジ第１種の通信ユニットＥＤ１−１は、複数の統合通信モジュールＩＣ１−ＩＣ４の第１種の通信ユニットＩＣ１−１〜ＩＣ４−１と同様な通信ユニットである。
【００３６】
エッジ演算部ＥＤ１−２は、エッジ第１種の通信ユニットＥＤ１−１が受信した所定のエッジ信号を受信して、前記所定のエッジ信号に対して計算を実行することにより、エッジ応答信号を生成する。エッジ応答信号は、エッジ第１種の通信ユニットＥＤ１−１を通じて伝送される。本実施形態において、エッジ第１種の通信ユニットＥＤ１−１は、エッジ演算部ＥＤ１−２と通信可能に接続される。
【００３７】
図３を参照する。図３は、本考案実施形態複数の通信プロトコルを備える通信システムが長距離通信システムに適用される模式図である。
【００３８】
本実施形態において、長距離通信システム１は、第１の領域１−Ａ及び第２の領域１−Ｂに配置される。第１の領域１−Ａと第２の領域１−Ｂとの間に第１の距離Ｄが規定される。本実施形態において、第１の距離Ｄは、１５ｋｍから２０ｋｍまでも可能となる。
【００３９】
長距離通信システム１は、第１の統合通信装置ＢＬ−１及び第２の統合通信装置ＢＬ−２を含む。第１の統合通信装置ＢＬ−１は、第１の領域１−Ａに配置され、第２の統合通信装置ＢＬ−２は、第２の領域１−Ｂに配置される。
【００４０】
第１の統合通信装置ＢＬ−１は、第１の通信モジュール１１、第２の通信モジュール１２、第３の通信モジュール１３、及び第７の通信モジュール１７を含む。第２の統合通信装置ＢＬ−２は、第４の通信モジュール１４、第５の通信モジュール１５、第６の通信モジュール１６、及び第８の通信モジュール１８を含む。
【００４１】
本実施形態において、第１の通信モジュール１１及び第７の通信モジュール１７は、複数の第１のＬｏＲａ通信信号を送信するように用いられる。第２の通信モジュール１２及び第３の通信モジュール１３は、第２の統合通信装置ＢＬ−２が発信する複数の第２のＬｏＲａ通信信号を受信するように用いられる。第４の通信モジュール１４及び第８の通信モジュール１８は、複数の第２のＬｏＲａ通信信号を発信するように用いられる。第５の通信モジュール１５及び第６の通信モジュール１６は、第１の統合通信装置ＢＬ−１が発信する複数の第１のＬｏＲａ通信信号を受信するように用いられる。
【００４２】
本実施形態において、第１の通信モジュール１１及び第７の通信モジュール１７はいずれも第１のＬｏＲａ通信信号を共通に発信するように用いられるが、他の実施形態において、コストを削減するために、第１の通信モジュール１１のみを利用して第１のＬｏＲａ通信信号を送信してもよい。即ち、本考案では、ＬｏＲａ通信信号の上りチャネル（ＬｏＲａ通信信号の発信）と下りチャネル（ＬｏＲａ通信信号の受信）は、それぞれ異なる通信モジュールにより処理される。かつ、本実施形態において、上りチャネルの数は、下りチャネルの数の以下であってもよい。また、本実施形態における下りチャネル（ＬｏＲａ通信信号の受信）の数は、実際のニーズに応じて調整でき、本考案に制限されない。つまり、下りチャネルの数は、２からＮであり、Ｎが無限大である。
【００４３】
同じように、第２の統合通信装置ＢＬ−２における上りチャネルの数と下りチャネルの数は、第１の統合通信装置ＢＬ−１と同じようにされるため、ここでは説明を繰り返さない。
通信モジュール１１−１８は、それぞれ第１のブルートゥース通信部１１−１乃至第８のブルートゥース通信部１８−１と、第１のＬｏＲａ通信ユニット１１−２乃至第８のＬｏＲａ通信ユニット１８−２とを含む。
【００４４】
本実施形態において、第１のブルートゥース通信部１１−１乃至第８のブルートゥース通信部１８−１はそれぞれ、第１のＬｏＲａ通信ユニット１１−２乃至第８のＬｏＲａ通信ユニット１８−２に通信可能に接続される。
【００４５】
本実施形態において、通信モジュール毎のブルートゥース通信部とＬｏＲａ通信ユニットとは、汎用非同期受送信機（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）により通信可能に接続される。
【００４６】
第１の統合通信装置ＢＬ−１は、第１の通信モジュール１１の第１のブルートゥース通信部１１−１と、第１のＬｏＲａ通信ユニット１１−２とを通じて、複数の第１のＬｏＲａ通信信号を第２の統合通信装置ＢＬ−２に発信する。
【００４７】
第１の統合通信装置ＢＬ−１は、第２の通信モジュール１２における第２のブルートゥース通信部１２−１及び第２のＬｏＲａ通信ユニット１２−２と、第３の通信モジュール１３における第３のブルートゥース通信部１３−１及び第３のＬｏＲａ通信ユニット１３−２とを通じて、第２の統合通信装置ＢＬ−２が発信する複数の第２のＬｏＲａ通信信号を受信する。
【００４８】
本実施形態において、第２の統合通信装置ＢＬ−２は、第４の通信モジュール１４における第４のブルートゥース通信部１４−１及び第４のＬｏＲａ通信ユニット１４−２と、第８の通信モジュール１８における第８のブルートゥース通信部１８−１及び第８のＬｏＲａ通信ユニット１８−２と、複数の第２のＬｏＲａ通信信号を第１の統合通信装置ＢＬ−１に送信する。他の実施形態において、第２の統合通信装置ＢＬ−２は、第４の通信モジュール１４における第４のブルートゥース通信部１４−１及び第４のＬｏＲａ通信ユニット１４−２のみで、複数の第２のＬｏＲａ通信信号を第１の統合通信装置ＢＬ−１に送信してもよい。
【００４９】
第２の統合通信装置ＢＬ−２は、第５の通信モジュール１５における第５のブルートゥース通信部１５−１及び第５のＬｏＲａ通信ユニット１５−２と、第６の通信モジュール１６における第６のブルートゥース通信部１６−１及び第６のＬｏＲａ通信ユニット１６−２とを通じて、第１の統合通信装置ＢＬ−１が発信する複数の第１のＬｏＲａ通信信号を受信する。
【００５０】
本実施形態において、第１のブルートゥース通信部１１−１は、第２のブルートゥース通信部１２−１と、第３のブルートゥース通信部１３−１と、第７のブルートゥース通信部１７−１とに通信可能に接続される。第４のブルートゥース通信部１４−１は、第５のブルートゥース通信部１５−１と、第６のブルートゥース通信部１６−１と、第８のブルートゥース通信部１８−１とに通信可能に接続される。第１の統合通信装置ＢＬ−１における各通信モジュールのブルートゥース通信ユニットは、互いに集積回路バス（Ｉｎｔｅｒ−Ｉｎｔｅｇｒａｔｅｄ  Ｃｉｒｃｕｉｔ、Ｉ２Ｃ）を介して通信可能に接続される。
【００５１】
第１の統合通信装置ＢＬ−１は、第１のコーディングテーブル（Ｆｉｒｓｔ  Ｃｏｄｅ  Ｂｏｏｋ）を含み、第２の統合通信装置ＢＬ−２は、第２のコーディングテーブル（Ｓｅｃｏｎｄ  Ｃｏｄｅ  Ｂｏｏｋ）を含む。第１のコーディングテーブルと第２のコーディングテーブルは、同様なコーディングテーブルである。本実施形態において、第１の統合通信装置ＢＬ−１が発信する第１のＬｏＲａ通信信号と、第２の統合通信装置ＢＬ−２が発信する第２のＬｏＲａ通信信号とは、それぞれ第１のコーディングテーブル及び第２のコーディングテーブルにより変換されたＬｏＲａ通信信号である。
【００５２】
本実施形態において、第１のコーディングテーブル及び第２のコーディングテーブルは、ブルートゥース伝送プロトコル及びＬｏＲａ通信プロトコルについての命令集である。言い換えれば、第１のコーディングテーブルと第２のコーディングテーブルは、複雑なブルートゥース伝送プロトコルにおける命令集とデータの同じ内容とを統合し、新しい命令集を再コンパイルする。この命令セットのデータ転送量は、ブルートゥース伝送プロトコルのデータ転送量よりはるかに少なくなる。さらに、送信データが大量に圧縮されているため、ＬｏＲａ通信ユニットは、より少ないデータ量を伝送するが、それでもなお同じデータコンテンツを送信または受信する。
【００５３】
信号を受信する時、第１の統合通信装置ＢＬ−１は、第１のコーディングテーブルに基づいて、受信した複数の第２のＬｏＲａ通信信号を複数の第２のブルートゥース信号に変換する。変換された複数の第２のブルートゥース信号のデータ量は、複数の第２のＬｏＲａ通信信号のデータ量と比べて第１の圧縮比を有する。第２の統合通信装置ＢＬ−２は、第２のコーディングテーブルに基づいて、受信した複数の第１のＬｏＲａ通信信号を複数の第１のブルートゥース信号に変換する。この時、前記複数の第１のブルートゥース信号のデータ量は、複数の第１のＬｏＲａ通信信号のデータ量に比べて、第２の圧縮比を有する。第１の統合通信装置ＢＬ−１と第２の統合通信装置ＢＬ−２が使用する第１のコーディングテーブルと第２のコーディングテーブルは、同様であるため、第１の圧縮比は前記第２の圧縮比と等しくなる。
【００５４】
信号を発信する場合、第１の統合通信装置ＢＬ−１は、第１のコーディングテーブルに基づいて、複数の第３のブルートゥース信号を複数の第１のＬｏＲａ通信信号に変換して、発信する。複数の第３のブルートゥース信号のデータ量は、複数の第１のＬｏＲａ通信信号のデータに比べて、第３の圧縮比を有する。第２の統合通信装置ＢＬ−は、前記第２のコーディングテーブルに基づいて、複数の第４のブルートゥース信号を複数の第２のＬｏＲａ通信信号に変換する。複数の第４のブルートゥース信号のデータ量は、複数の第２のＬｏＲａ通信信号のデータ量に比べて、第４の圧縮比を有する。第１の統合通信装置ＢＬ−１と第２の統合通信装置ＢＬ−２とが使用する第１のコーディングテーブル及び第２のコーディングテーブルは、同様であるため、第３の圧縮比は、前記第４の圧縮比と等しくなる。
【００５５】
図２を参照する。第１の統合通信装置ＢＬ−１は、さらにエッジブルートゥース通信部９１及びエッジ演算部９２を含む。
【００５６】
本実施形態において、エッジブルートゥース通信部９１は、第１のブルートゥース通信部１１−１、第２のブルートゥース通信部１２−１、第３のブルートゥース通信部１３−１、及び第７のブルートゥース通信部にも通信可能に接続される。
【００５７】
エッジブルートゥース通信部９１は、所定のエッジ信号を受信するように用いられる。すなわち、ある特定な状況による制御信号は、長距離通信を通じクラウドサーバーへ伝送して計算することに適していない。したがって、ローカルエッジ演算部９２を配置することにより、効率を改善するためにこれらの所定のエッジ信号を即座に計算したり、応答したりする。
【００５８】
そのため、本実施形態において、エッジ演算部９２は、エッジブルートゥース通信部９１が受信した所定のエッジ信号を受信して、所定のエッジ信号に対して計算または応答を行う。それにより、エッジ応答信号を生成する。エッジ応答信号は、エッジブルートゥース通信部を通じて伝送される。
【００５９】
本実施形態において、第２の統合通信装置ＢＬ−２は、第１の統合通信装置ＢＬ−１と同様な構成または機能を持つエッジ演算部９２及びエッジブルートゥース通信部９１を対応的に配置してもよい。それは実際のニーズに応じて調整することができ、本考案はそれに制限されない。
【００６０】
本実施形態において、長距離通信システム１は、さらに第１の屋内ブルートゥース通信部グループＢＴ−１を含む。第１の屋内ブルートゥース通信部グループＢＴ−１は、それぞれ第１の領域１−Ａ配置される複数の第１の屋内ブルートゥース通信部２１−２３を含む。前記複数の第１の屋内ブルートゥース通信部２１−２３は、前記第１の統合通信装置ＢＬ−１に通信可能に接続される。本実施形態において、第１の屋内ブルートゥース通信部の数量は、実際のニーズに応じて調整することができ、本考案はそれに制限されない。
【００６１】
また、長距離通信システム１は、さらに第２の屋内ブルートゥース通信部グループＢＴ−２を含む。第２の屋内ブルートゥース通信部グループＢＴ−１は、それぞれ第２の領域１−Ｂに配置される複数の第２の屋内ブルートゥース通信部２４−２６を含む。前記複数の第２の屋内ブルートゥース通信部２４−２６は、前記第２の統合通信装置ＢＬ−２に通信可能に接続される。本実施形態において、第２の屋内ブルートゥース通信部の数量は、実際のニーズに応じて調整することができ、本考案はそれに制限されない。
【００６２】
図３を参照する。図３における第１の統合通信装置ＢＬ−１’と、図２における第１の統合通信装置ＢＬ−１とは構成として大抵同様であるが、主な違いでは、第１の統合通信装置ＢＬ−１’は、さらにＷｉ−Ｆｉ通信モジュール（ＷｉＦｉ  Ｃｏｍｍｕｎｉｃａｔｉｏｎ  ｍｏｄｕｌｅ）９３’とＩｏＴ通信モジュール（ＩｏＴ  ｃｏｍｍｕｎｉｃａｔｉｏｎ  ｍｏｄｕｌｅ）９４’とを含む。すなわち、第１の統合通信装置ＢＬ−１’における第１の通信モジュール１１’、第２の通信モジュール１２’、第３の通信モジュール１３’、及び第７の通信モジュール１７’と、エッジブルートゥース通信部９１’と、エッジ演算部９２’等とは、いずれも第１の統合通信装置ＢＬ−１における第１の通信モジュール１１、第２の通信モジュール１２、第３の通信モジュール１３、及び第７の通信モジュール１７と、エッジブルートゥース通信部９１と、エッジ演算部９２とは同様であるため、ここでは説明を繰り返さない。
【００６３】
本実施形態において、Ｗｉ−Ｆｉ通信モジュール９３’は、Ｗｉ−Ｆｉ通信ユニット９３−２’及びＷｉ−Ｆｉブルートゥース通信部９３−１’を含む。Ｗｉ−Ｆｉブルートゥース通信部９３−１’は、第１のブルートゥース通信部１１−１’、第２のブルートゥース通信部１２−１’、第３のブルートゥース通信部１３−１’、第７のブルートゥース通信部１７−１’、及びエッジブルートゥース通信部９１’と通信可能に接続される。
【００６４】
本実施形態において、Ｗｉ−Ｆｉ通信モジュール９３’のＷｉ−Ｆｉ通信ユニット９３−２’は、インターネットと通信可能に接続されるとともに、より大きな帯域幅を有するため、大量のデータを転送するために使用できる。
【００６５】
また、ＩｏＴ通信モジュール９４’は、ＩｏＴ通信ユニット９４−２’及びＩｏＴブルートゥース通信部９４−１’を含む。
【００６６】
ＩｏＴブルートゥース通信部９４−１’は、第１のブルートゥース通信部１１−１’、第２のブルートゥース通信部１２−１’、第３のブルートゥース通信部１３−１’、第７のブルートゥース通信部１７−１’、エッジブルートゥース通信部９１’、及びＷｉ−Ｆｉブルートゥース通信部９３−１’と通信可能に接続される。
【００６７】
本実施形態において、ＩｏＴ通信ユニット９３−２’は、クラウドサーバー（図示しない）に通信可能に接続される。そのため、ＩｏＴ通信ユニット９３−２’は、ＩｏＴ制御信号を受送信するために用いられることができる。
［実施形態による有益な効果］
【００６８】
コーディングテーブル結論として、本考案による複数の通信プロトコルを備える通信システムは、同じ装置内に多種の通信プロトコルを有する通信ユニットに統合し、同じ第１種の通信ユニットを利用して互いに通信を行うことができ、かつ、複数の専用下りチャネルデータをすばやくダウンロードし、専用上りチャネルを利用してデータをアップロードすることにより、伝送効率を大幅に向上させることができる。異なるプロトコル間で制御コマンドを効果的に処理するために、複数のコーディングテーブルが使用され、データ伝送量を減らすことができる。さらに、本考案は、異なる統合通信モジュールの第１種の通信ユニット間の通信接続により、処理効率を改善するように、異なるタイプの信号が適切な通信方法によって処理されることを可能にすることができる。
【００６９】
以上に開示される内容は本考案の好ましい実施可能な実施例に過ぎず、これにより本考案の特許請求の範囲を制限するものではないので、本考案の明細書及び添付図面の内容に基づき為された等価の技術変形は、全て本考案の特許請求の範囲に含まれるものとする。
【符号の説明】
【００７０】
１                    長距離通信システム
１−Ａ、８−Ａ        第１の領域
１−Ｂ、８−Ｂ        第２の領域
ＢＬ−１、ＭＣ１      第１の統合通信装置
ＢＬ−２、ＭＣ２      第２の統合通信装置
ＢＴ−１、ＢＬ−１’  第１の屋内ブルートゥース通信部グループ
ＢＴ−２              第２の屋内ブルートゥース通信部グループ
１１、１１’          第１の通信モジュール
１２、１２’          第２の通信モジュール
１３、１３’          第３の通信モジュール
１４                  第４の通信モジュール
１５                  第５の通信モジュール
１６                  第６の通信モジュール
１７                  第７の通信モジュール
１８                  第８の通信モジュール
２１−２３            第１の屋内ブルートゥース通信部
２４−２６            第２の屋内ブルートゥース通信部
１１−１、１１−１’  第１のブルートゥース通信部
１２−１、１２−１’  第２のブルートゥース通信部
１３−１、１３−１’  第３のブルートゥース通信部
１４−１              第４のブルートゥース通信部
１５−１              第５のブルートゥース通信部
１６−１              第６のブルートゥース通信部
１７−１、１７−１’  第７のブルートゥース通信部
１８−１              第８のブルートゥース通信部
１１−２、１１−２’  第１のＬｏＲａ通信ユニット
１２−２、１２−２’  第２のＬｏＲａ通信ユニット
１３−２、１３−２’  第３のＬｏＲａ通信ユニット
１４−２                第４のＬｏＲａ通信ユニット
１５−２                第５のＬｏＲａ通信ユニット
１６−２                第６のＬｏＲａ通信ユニット
１７−２、１７−２’    第７のＬｏＲａ通信ユニット
１８−２                第８のＬｏＲａ通信ユニット
９１、９１’            エッジブルートゥース通信部
９２、９２’、ＥＤ１−２  エッジ演算部
９３’                  Ｗｉ−Ｆｉ通信モジュール
９４’                  ＩｏＴ通信モジュール
９３−１’              Ｗｉ−Ｆｉブルートゥース通信部
９３−２’              Ｗｉ−Ｆｉ通信ユニット
９４−１’              ＩｏＴブルートゥース通信部
９４−２’              ＩｏＴ通信ユニット
８                      複数の通信プロトコルを備える通信システム
ＭＣ１                  第１の統合通信装置
ＭＣ２                  第２の統合通信装置
ＩＣ１〜ＩＣ８          第１の統合通信モジュール〜第８の統合通信モジュール
ＩＣ１−１〜ＩＣ８−１  第１種の通信ユニット
ＩＣ１−２〜ＩＣ８−２  第２種の通信ユニット
ＥＤ１                  エッジ演算モジュール
ＥＤ１−１              エッジ第１種の通信ユニット
【図１】
0003221236.tif 000003
【図２】
0003221236.tif 000004
【図３】
0003221236.tif 000005
【図４】
0003221236.tif 000006
【図５】
0003221236.tif 000007